(57)【要約】【課題】使用者の必要に応じ、隨時ランプの発光色を変化させることができる、ランプカバーが交換可能な車両用室内LED照明装置の提供。【解決手段】座体、接続座体及びカバーから構成され、前記座体は自動車の室内照明装置座体の構造形式に基づいて設計され、相互に組み合わせ可能な様式を成し、座体上に接続座体が固定され、前記接続座体上に基板に接続された複数のLEDランプが設けられ、基板上に設けた正負極ピンを曲げて座体上に這わせ正負極の電極端を形成し、或いはワイヤでキャップ形式の座体の電極端に電気的に接続し、導通を形成して発光させ、接続座体の光源側に任意の色の透光性カバーを螺設または嵌合することにより、LEDの光がカバーを通過して色の付いた光として表現され、且つ、隨時異なる色のカバーに交換して異なる色の光線を発させることができ、LEDランプの実用性を向上すると共に、変化に富んだ装飾効果が得られる。【選択図】図１
0003131325.tif 000002
【実用新案登録請求の範囲】
【請求項１】
座体、接続座体及びカバーから構成され、そのうち、前記座体の底部に結合部が設けられ、前記接続座体が前記座体上方に固定され、且つ上端部に複数のLED発光体が設置され、前記LED発光体は下端部の基板に電気的に接続され、前記基板上に正負極の電極ピン２本が設けられ、前記正負極の電極ピンが前記座体の結合部上に連結され、前記カバーが任意の色を持つ透光性カバー体であり、且つ、端縁内部に結合部が設けられたことを特徴とする、ランプカバーが交換可能な車両用室内LED照明装置。        
【請求項２】
前記座体の結合部を挿入式ランプ座体に組み合わせる挿入片として設け、前記挿入片両側の板片上端対角箇所に内部に貫通する通孔がそれぞれ設けられ、前記接続座体上の２本の正負極電極ピンが前記座体の通孔に穿通され、前記挿入片両側の板片側壁に沿って這うように折り曲げられると共に、前記接続座体の上端側縁部に雄ネジが形成され、前記カバーの結合部が雌ネジとして設けられ、前記カバーを前記接続座体の雄ネジ上に螺設することができる、請求項１に記載のランプカバーが交換可能な車両用室内LED照明装置。
【請求項３】
前記座体の結合部を回転組み込み式ランプ座体に組み合わせるキャップ体として設け、前記キャップ体上に正極接点と負極接点が設けられ、且つ、前記接続座体の基板がワイヤで前記キャップ体の正極接点及び負極接点と電気的に接続され、前記接続座体の上頂端側縁部に雄ネジが形成され、前記カバーの結合部が雌ネジとして設けられ、前記カバーを前記接続座体の雄ネジ上に螺設することができる。請求項１に記載のランプカバーが交換可能な車両用室内LED照明装置。        
【請求項４】
前記接続座体の外縁部に突起片を設けた、請求項１に記載のランプカバーが交換可能な車両用室内LED照明装置。
【請求項５】
前記座体の結合部を挿入式ランプ座体に組み合わせる挿入片として設け、前記挿入片両側の板片上端対角箇所に内部に貫通する通孔がそれぞれ設けられ、前記接続座体上の２本の正負極電極ピンが前記座体の通孔に穿通され、前記挿入片両側の板片側壁に沿って這うように折り曲げられると共に、前記接続座体の上端側縁部に嵌合槽が設けられ、前記カバーの結合部は下端内縁に突起体が設けられ、及び前記カバーの下端部壁板上に間隙が形成され、前記カバーを弾性的に前記接続座体の嵌合槽上に嵌合させることができる、請求項１に記載のランプカバーが交換可能な車両用室内LED照明装置。      
【請求項６】
主に２つのキャップ、筒状接続座体及び弧形カバーから構成され、そのうち、前記キャップは横方向嵌入式ランプ座体と組み合わされる金属キャップを呈し、且つ、前記筒状接続座体両端の嵌合部上に被せられ、前記筒状接続座体は両端にそれぞれ嵌合部が設けられ、前記キャップを被せることができ、且つ、円周外縁にそれぞれ溝部が形成され、内部に複数のLED発光体が設置された基板を備え、且つ、前記基板がワイヤで前記２つの金属キャップに電気的に接続されると共に、前記弧形カバーは任意の色を持つ透光性カバー体であり、且つ、両側の内側端縁にそれぞれ嵌入部が設けられ、前記筒状接続座体の溝部内に嵌入させることができることを特徴とする、ランプカバーが交換可能な車両用室内LED照明装置。
【請求項７】
前記筒状接続座体の嵌合部に切欠槽を設けた、請求項６に記載のランプカバーが交換可能な車両用室内LED照明装置。      
【請求項８】
前記キャップの端部がテーパ状を呈する、請求項６に記載のランプカバーが交換可能な車両用室内LED照明装置。
【請求項９】
前記テーパ状の上端部に穿通孔を設けた、請求項６に記載のランプカバーが交換可能な車両用室内LED照明装置。      
【考案の詳細な説明】
【技術分野】
【０００１】
本考案はランプカバーが交換可能な車両用室内LED照明装置の設計に関し、詳細には、自動車の各形式のランプ座体の構造に従って設計されて成るLED照明装置であって、このLED照明装置のカバーを色の異なるものに任意に交換することができ、異なる色の照明を形成できる、ランプカバーが交換可能な車両用室内LED照明装置に関する。
【背景技術】
【０００２】
従来の自動車の照明装置は一般にタングステンフィラメントランプを採用した設計であり、且つ、電球外殼上に色の付いたプラスチック薄膜を付加し、電球の発光に必要な色を表現させるが、タングステンフィラメントランプは消費電力量が大きく、発光時に高い熱エネルギーを発生し、また使用寿命も比較的短い等、さまざまな欠点があり、且つ、使用者が電球の発光色を変化させたいとき、電球全体を交換しなければならず、理想的とはいえない。
【０００３】
さらに、LED技術が日増しに成長し、増加している中、徐々に自動車産業においても広く応用されるようになり、元のタングステンフィラメントランプに取って代わるようになった。現在市場にあるLEDランプの設計は、主に自動車のランプ座体の構造に使用される形式に従い異なる様式のLEDランプが設計されており、そのほとんどが挿入式、回転組み込み式、横方向嵌入式等の三つの形式のいずれかであり、これらLEDランプの設計は、従来のタングステンフィラメントランプの欠点を改善することはできるものの、光線の変化面の設計においては、タングステンフィラメントランプと同じように、元の設計された発光色しか持たず、電球の発光色を変化させたいときは同様に電球全体を交換しなければ使用者の使用上のニーズに応えることができないため、その適用性及び変化性においてやはりまだ理想的ではない。
【０００４】
この問題に鑑みて、本考案は上述の構造の改良が待たれる欠点に対し研究を重ね、上述の欠点を効果的に改善できる設計を提供することをこの考案の動機としている。
【考案の開示】
【考案が解決しようとする課題】
【０００５】
本考案の主な目的は、使用者の必要に応じ、隨時ランプの発光色を変化させることができ、従来のLEDランプの使用上の不便さと欠点等の問題を解決する、ランプカバーが交換可能な車両用室内LED照明装置を提供することにある。    
【課題を解決するための手段】
【０００６】
上述の目的を達するため、本考案の車両用室内LED照明装置は、座体、接続座体及びカバーを含んで構成され、前記座体は自動車の室内照明装置座体の構造形式に基づいて設計され、相互に組み合わせ可能な様式を成し、且つ、座体上に接続座体が固定され、前記接続座体上に基板に接続された複数のLEDランプが設けられ、基板上に設けた正負極ピンを曲げて座体上に這わせ、正負極の電極端を形成し、或いはワイヤでキャップ形式の座体の電極端に電気的に接続し、導通を形成して発光させ、また接続座体の光源側に任意の色の透光性カバーを螺設（または嵌合）する。これにより、LEDが発する光が前記カバーを通過して色の付いた光として表現され、且つ、隨時異なる色のカバーに交換して異なる色の光線を発させることができ、LEDランプの実用性を向上すると共に、変化に富んだ装飾効果が得られる。        
【考案を実施するための最良の形態】
【０００７】
本考案のその他特徴及び具体的な実施例について、以下図面に基づき詳細に説明する。
【実施例１】
【０００８】
図１〜図３に示すように、本考案の実施例１は挿入式ランプ座体に運用されるLED照明装置の構造であり、座体１０、接続座体２０及びカバー３０から構成される。
【０００９】
上述の座体１０は底部に結合部が設けられ、この結合部は図の実施例においては挿入式ランプ座体に組み合わせる挿入片１１とし、且つ、前記挿入片１１両側の板片１２上端部対角の箇所にそれぞれ内部に貫通された通孔１３（図３参照）が設けられる。前記接続座体２０は座体１０上方に固定され、且つ、上端部に複数のLED発光体２１が設置され、各LED発光体２１は下端部の基板２２に電気的に接続されると共に、前記基板２２上には２つの正負極の電極ピン２３が設けられ、これら２つの電極ピン２３が座体１０の通孔１３に穿通され、穿出された電極ピン２３が挿入片１１両側の板片１２側面に沿って這うように折り曲げられ、電極端が形成されてランプ座体内に挿入され、導通を形成してランプを発光させることができる。また、接続座体２０の上端側縁部に雄ネジ２４が設けられ、任意の色の透光性カバー３０の端縁内部に設けられた結合部と結合される。この図の実施例においてカバー３０の結合部は端縁内部に設けられた雌ネジ３１とし、この雌ネジ３１と前記雄ネジ２４を相互に螺設することができ、且つ前記カバー３０を介して発光源にカバー３０の色を持たせたLEDランプ光として表現し、照明装飾の効果を達成することができる。また、使用者は任意に異なる色のカバー３０に交換し、隨時ランプ光の色を変えることができるため、LEDランプの実用性及び変化性を向上することができる。
【実施例２】
【００１０】
図４、図５に本考案の実施例２の回転組み込み式ランプ座体に運用されるLED照明装置の構造を示す。そのうち、前記座体は回転組み込み式ランプ座体に組み合わせるキャップ体４０として設け、且つ、前記キャップ体４０上に正極接点４１及び負極接点４２が設けられ、接続座体２０の基板２２はワイヤ２５でキャップ体４０の正極接点４１及び負極接点４２と電気的に接続される。また、前記接続座体２０外縁部には突起片２６が突出した状態で設けられ、使用者がつかんで回転させるのに便利である。
【実施例３】
【００１１】
図６、図７に本考案の実施例３の横方向嵌入式ランプ座体に運用されるLED照明装置の構造を示す。この構造は左右２つの金属キャップ５０、筒状の接続座体６０及び弧形のカバー７０から構成される。そのうち、前記金属キャップ５０は筒状接続座体６０両端の嵌合部６１上にそれぞれ被せられ、且つ、前記筒状接続座体６０の円周外縁部に陥没状の溝部６２がそれぞれ設けられ、弧形カバー７０を押し入れ嵌設させて固定することができ、筒状接続座体６０内部には複数のLED発光体６３が設けられた基板６４が設置され、且つ、両側に延伸されたワイヤ６５により２つの金属キャップ５０内側に電気的に接続され、導通を形成してランプを発光させることができる。また、筒状接続座体６０の各嵌合部６１上には切欠槽６６が形成され、金属キャップ５０内側の溶接箇所を避けて嵌合することができ、さらに、各金属キャップ５０の端面はテーパ状５１に設けることができ、上端箇所には穿通孔５２が設けられ、ワイヤ６５を前記穿通孔５２から穿出させて外部から金属キャップ５０外縁部に溶接して接続し、組み立てることができる。任意の色の透光性の弧形カバー７０は、両側内縁部にそれぞれ板体が突出して成る嵌入部７１が設けられ、この嵌入部７１を筒状接続座体６０の溝部６２内に嵌入する。前記弧形カバー７０により、色の付いたLED照明を得ることができ、使用者が照明の色を変えたいときは、元のカバーを取り外し、異なる色のカバーを取り付けるだけで、照明の色を変えることができる。
【実施例４】
【００１２】
図８、図９に本考案の実施例４の挿入式ランプ座体に運用されるLED照明装置の構造を示す。この構造は座体１０、接続座体２０及びカバー３０から構成される。
【００１３】
前記座体１０は底部に挿入式ランプ座体と組み合わされる挿入片１１を備え、且つ、前記挿入片１１両側の板片１２上端部対角の箇所にそれぞれ内部に貫通された通孔１３（図３参照）が設けられる。前記接続座体２０は座体１０上方に固定され、且つ、上端部に複数のLED発光体２１が設置され、各LED発光体２１は下端部の基板２２に電気的に接続されると共に、前記基板２２上には２つの正負極の電極ピン２３が設けられ、これら２つの電極ピン２３が座体１０の通孔１３に穿通され、穿出された電極ピン２３が挿入片１１両側の板片１２側面に沿って這うように折り曲げられ、電極端が形成されてランプ座体内に挿入され、導通を形成してランプを発光させることができる。
【００１４】
この実施例において、接続座体２０の上端側縁部には嵌合槽２７が形成され、同時に任意の色の透光性カバー３０は下端内縁部に突起体３２が突出して設けられ、カバー３０の下端部壁面上に間隙３３が形成され、カバー３０の下端部に弾性と嵌合の効果が形成される。カバー３０を接続座体２０に嵌合するときは、まずカバー３０の突起体３２内壁にパッキンリング３４を充填し、カバー３０の突起体３２を接続座体２０の嵌合槽２７内に嵌入させると、しっかりとした組み立て効果が得られる。これにより、前記カバー３０を介して光源の光が発せられるため、例えばカバー３０が黄色のときは黄色の光、カバー３０が青色のときは青色の光を発することができ、LED発光体そのものは白色光とすることができ、カバー３０を介してカバー３０が持つ色を表現したLED照明が得られ、照明装飾効果が達成される。また、使用者は任意で異なる色のカバー３０に交換し、隨時照明の色を変えることができ、これによりLED照明装置の実用性と変化性を向上することができる。
【００１５】
以上で述べた説明は、本考案の最良の実施例に基づくものであり、本考案の実施可能な範囲を制限するものではなく、関連産業を知る人物によれば変化や修飾は可能であり、これらはすべて本考案の実質的内容を逸脱しないものとみなす。
【００１６】
上述のように、本考案はその構造が簡単で新しい設計であり、LED照明装置において任意に照明の色を変えることができ、従来のLEDランプが予め設計された単一色でしか使用できないという問題を効果的に解決し、より便利で、実用的且つ変化に富んだLED照明装置の設計を提供するものであり、実用新案登録出願の要件を満たしているため、法に基づきここに出願を提出するものである。
【図面の簡単な説明】
【００１７】
【図１】本考案の実施例１の立体分解図である。
【図２】本考案の実施例１の立体外観図である。
【図３】本考案の実施例１の組み立て後断面図である。
【図４】本考案の実施例２の立体分解図である。
【図５】本考案の実施例２の立体外観図である。
【図６】本考案の実施例３の立体分解図である。
【図７】本考案の実施例３の立体外観図である。
【図８】本考案の実施例４の立体分解図である。
【図９】本考案の実施例４の部分構造断面図である。
【符号の説明】
【００１８】
１０      座体
１１      挿入片
１２      板片            
１３      通孔
２０      接続座体          
２１      LED発光体
２２      基板            
２３      ピン
２４      雄ネジ          
２５      ワイヤ
２６      突起片            
２７      嵌合槽
３０      カバー            
３１      雌ネジ
３２      突起体            
３３      間隙
３４      パッキンリング
４０      キャップ体            
４１      正極接点
４２      負極接点
５０      金属キャップ      
５１      テーパ状
５２      穿通孔
６０      筒状接続座体      
６１      嵌合部
６２      溝部            
６３      LED発光体
６４      基板            
６５      ワイヤ
６６      切欠槽
７０      弧形カバー        
７１      嵌入部  
【図１】
0003131325.tif 000003
【図２】
0003131325.tif 000004
【図３】
0003131325.tif 000005
【図４】
0003131325.tif 000006
【図５】
0003131325.tif 000007
【図６】
0003131325.tif 000008
【図７】
0003131325.tif 000009
【図８】
0003131325.tif 000010
【図９】
0003131325.tif 000011
【手続補正書】
【提出日】平成19年2月27日(2007.2.27)
【手続補正１】
【補正対象書類名】実用新案登録請求の範囲
【補正対象項目名】請求項３
【補正方法】変更
【補正の内容】
【請求項３】
前記座体の結合部を回転組み込み式ランプ座体に組み合わせるキャップ体として設け、前記キャップ体上に正極接点と負極接点が設けられ、且つ、前記接続座体の基板がワイヤで前記キャップ体の正極接点及び負極接点と電気的に接続され、前記接続座体の上頂端側縁部に雄ネジが形成され、前記カバーの結合部が雌ネジとして設けられ、前記カバーを前記接続座体の雄ネジ上に螺設することができる請求項１に記載のランプカバーが交換可能な車両用室内LED照明装置。